(57)【特許請求の範囲】
【請求項１】
矩形の表示領域を備えた表示部と、第１発音体及び第２発音体と、前記表示部、前記第１発音体及び第２発音体を支持するフレームとを備え、
前記フレームは、前記表示領域と平面視で重なる位置に、前記第１発音体及び前記第２発音体のスピーカを収容する空間を有しており、
前記第１発音体は、前記空間の前記表示部と反対側の第１の壁に面して配置された第１のスピーカと、前記第１のスピーカと前記第１の壁と間に形成された第１の気室と、前記表示領域の平面視外側に位置する周辺領域に配置された複数の第１の放音孔と、前記第１の放音孔のそれぞれと前記第１の気室とを連通する複数に分岐された第１の導音路とを有し、
前記第２発音体は、前記第１のスピーカと平面視で重なり合うように前記空間の前記表示部側の第２の壁に面して配置された第２のスピーカと、前記第２のスピーカと前記第２の壁との間に形成された第２の気室と、前記周辺領域に配置された複数の第２の放音孔と、前記第２の放音孔のそれぞれと前記第２の気室とを連通する複数に分岐された第２の導音路とを有し、
前記第１発音体と前記第２発音体とは、前記第１のスピーカと前記第２のスピーカとに挟まれた前記空間の一部からなる第３の気室を共有しており、
前記第１の導音路は、前記第１の壁の内部に形成された単一の水平路と、前記フレームの第１の側壁の内部に形成された複数の垂直路とを、前記第１の壁と前記第１の側壁との境界部分において接続した構成を有し、
前記第２の導音路は、前記第２の壁の内部に形成された単一の水平路と、前記第１の側壁と対向する前記フレームの第２の側壁の内部に形成された複数の垂直路とを、前記第２の壁と前記第２の側壁との境界部分において接続した構成を有しており、
全ての前記第１の放音孔が前記表示領域の第１の辺に沿って配置される一方、全ての前記第２の放音孔は前記第１の辺と対向する前記表示領域の第２の辺に沿って配置されている
ことを特徴とする電気光学装置。
【請求項２】
矩形の表示領域を備えた表示部と、第１発音体及び第２発音体と、前記表示部、前記第１発音体及び第２発音体を支持するフレームとを備え、
前記フレームは、前記表示領域と平面視で重なる位置に、前記第１発音体及び前記第２発音体のスピーカを収容する空間を有しており、
前記第１発音体は、前記空間の前記表示部と反対側の第１の壁に面して配置された第１のスピーカと、前記第１のスピーカと前記第１の壁と間に形成された第１の気室と、前記表示領域の平面視外側に位置する周辺領域に配置された複数の第１の放音孔と、前記第１の放音孔のそれぞれと前記第１の気室とを連通する複数に分岐された第１の導音路とを有し、
前記第２発音体は、前記第１のスピーカと平面視で重なり合うように前記空間の前記表示部側の第２の壁に面して配置された第２のスピーカと、前記第２のスピーカと前記第２の壁との間に形成された第２の気室と、前記周辺領域に配置された複数の第２の放音孔と、前記第２の放音孔のそれぞれと前記第２の気室とを連通する複数に分岐された第２の導音路とを有し、
前記第１発音体と前記第２発音体とは、前記第１のスピーカと前記第２のスピーカとに挟まれた前記空間の一部からなる第３の気室を共有しており、
前記第１の導音路は、前記第１の壁の内部に形成された単一の水平路と、前記フレームの第１の側壁の内部に形成された複数の垂直路の一部である複数の第１の垂直路とを、前記第１の壁と前記第１の側壁との境界部分において接続した構成を有し、
前記第２の導音路は、前記第２の壁の内部に形成された単一の水平路と、前記第１の側壁の内部に形成された複数の垂直路のうち前記第１の垂直路とは異なる複数の第２の垂直路とを、前記第２の壁と前記第１の側壁との境界部分において接続した構成を有しており、
全ての前記第１の放音孔が前記表示領域の第１の辺を二分した一方の領域に配置されるとともに、全ての前記第２の放音孔が前記第１の辺の他方の領域に配置されている
ことを特徴とする電気光学装置。
【請求項３】
請求項１又は２に記載の電気光学装置を備えたことを特徴とする電子機器。
【発明の詳細な説明】
【技術分野】
【０００１】
本発明は、表示部と複数の発音体とを備えた電気光学装置と、その電気光学装置を備えた電子機器に関する。
【背景技術】
【０００２】
近年、携帯電話機、携帯情報端末機等の電子機器において、電子機器に関する各種の情報を画像として表示するための表示装置として、液晶表示装置等といった電気光学装置が広く備えられている。電気光学装置とは、電気的な入力によって光学的な出力状態を制御する装置であり、例えば、液晶表示装置、E L (Electro Luminescence)装置、プラズマディスプレイ装置などがある。
【０００３】
また、電子機器には、音を発生する手段も備えられている。例えば、携帯電話機では、相手が話す内容を音声によって表現する必要があり、音を発生する手段として、スヒ゜ーカ等といった発音体が備えられている。
電気光学装置と発音体の両方を備えた電子機器は、従来から知られている（例えば、特許文献１、特許文献２参照）。
また、近年、電子機器の小型化の要求がますます高まってきている。
【特許文献１】特開２００３−０７８６０１号公報
【特許文献２】特開２００３−１５８７８７号公報
【発明の開示】
【発明が解決しようとする課題】
【０００４】
しかしながら、従来の電気光学装置と発音体の両方を備えた電子機器では、発音体を配置するために、電気光学装置の表示部の周囲に広い面積を確保する必要があり、表示部の周囲の面積を狭くすることができないため、小型化の要求に十分に応えることができなかった。
【０００５】
本発明は、上記の課題を解決するためになされたものであって、発音体の配置に必要な表示部の周囲の面積を狭くすることができ、電子機器の小型化の要求に十分に応えることができる電気光学装置を提供することを目的とする。
また、上記の電気光学装置を備えた小型の電子機器を提供することを目的とする。
【課題を解決するための手段】
【０００６】
上記の目的を達成するためには、発音体の大きさを小さくして、発音体の配置に必要な表示部の周囲の面積を狭くすることが考えられる。しかし、発音体の大きさを小さくすると、発音体の発生する音量が不十分となり、音量が低下してしまう。本発明者は、この問題を解決するために、スピーカと表示部とを平面視したときに重なり合うように配置することを見出した。この場合、スピーカの大きさを十分に確保しつつ、表示部の周囲の面積を狭くすることができる。しかし、この場合でも、スピーカに発生させた音を外部に発するための導音路や放音孔を配置するために、表示部の周囲に広い面積を確保する必要があるため、小型化の要求に十分に応えることができない。
【０００７】
この問題を解決するために、放音孔の大きさを小さくことが考えられる。しかし、放音孔の大きさを小さくすると、スピーカに発生させた音を十分に放出できなくなり、スピーカが十分な音量を発生させることができるものであっても、発音体の発生する音量が低下して不十分となってしまう。
放音孔の開口面積を確保するために、１つの導音路を備えたものにおいて、複数の小さい放音孔を設けることも考えられる。しかし、放音孔は、導音路の開口であるので、表示部の周囲の領域の平面視したときに導音路と重なり合う部分に設けなければならない。このため、放音孔を複数にして小さくしても、周辺領域の面積が狭くなるように各放音孔を適切に配置できない場合があり、表示部の周囲の面積を十分に狭くすることはできなかった。
【０００８】
本発明者は鋭意研究を重ね、スピーカと表示領域とが平面視したときに重なり合うように配置し、複数の放音孔を備えるとともに、複数の放音孔のそれぞれと気室とを連通する複数に分岐された導音路とを備えることにより、発音体を配置するために必要な表示部の周囲の面積を狭くできることを見出し、本発明の電気光学装置および電子機器を見出した。
【０００９】
本発明の電気光学装置は、矩形の表示領域を備えた表示部と、第１発音体及び第２発音体と、前記表示部、前記第１発音体及び第２発音体を支持するフレームとを備え、前記フレームは、前記表示領域と平面視で重なる位置に、前記第１発音体及び前記第２発音体のスピーカを収容する空間を有しており、前記第１発音体は、前記空間の前記表示部と反対側の第１の壁に面して配置された第１のスピーカと、前記第１のスピーカと前記第１の壁と間に形成された第１の気室と、前記表示領域の平面視外側に位置する周辺領域に配置された複数の第１の放音孔と、前記第１の放音孔のそれぞれと前記第１の気室とを連通する複数に分岐された第１の導音路とを有し、前記第２発音体は、前記第１のスピーカと平面視で重なり合うように前記空間の前記表示部側の第２の壁に面して配置された第２のスピーカと、前記第２のスピーカと前記第２の壁との間に形成された第２の気室と、前記周辺領域に配置された複数の第２の放音孔と、前記第２の放音孔のそれぞれと前記第２の気室とを連通する複数に分岐された第２の導音路とを有し、前記第１発音体と前記第２発音体とは、前記第１のスピーカと前記第２のスピーカとに挟まれた前記空間の一部からなる第３の気室を共有しており、前記第１の導音路は、前記第１の壁の内部に形成された単一の水平路と、前記フレームの第１の側壁の内部に形成された複数の垂直路とを、前記第１の壁と前記第１の側壁との境界部分において接続した構成を有し、前記第２の導音路は、前記第２の壁の内部に形成された単一の水平路と、前記第１の側壁と対向する前記フレームの第２の側壁の内部に形成された複数の垂直路とを、前記第２の壁と前記第２の側壁との境界部分において接続した構成を有しており、全ての前記第１の放音孔が前記表示領域の第１の辺に沿って配置される一方、全ての前記第２の放音孔は前記第１の辺と対向する前記表示領域の第２の辺に沿って配置されていることを特徴とする。
あるいは、矩形の表示領域を備えた表示部と、第１発音体及び第２発音体と、前記表示部、前記第１発音体及び第２発音体を支持するフレームとを備え、前記フレームは、前記表示領域と平面視で重なる位置に、前記第１発音体及び前記第２発音体のスピーカを収容する空間を有しており、前記第１発音体は、前記空間の前記表示部と反対側の第１の壁に面して配置された第１のスピーカと、前記第１のスピーカと前記第１の壁と間に形成された第１の気室と、前記表示領域の平面視外側に位置する周辺領域に配置された複数の第１の放音孔と、前記第１の放音孔のそれぞれと前記第１の気室とを連通する複数に分岐された第１の導音路とを有し、前記第２発音体は、前記第１のスピーカと平面視で重なり合うように前記空間の前記表示部側の第２の壁に面して配置された第２のスピーカと、前記第２のスピーカと前記第２の壁との間に形成された第２の気室と、前記周辺領域に配置された複数の第２の放音孔と、前記第２の放音孔のそれぞれと前記第２の気室とを連通する複数に分岐された第２の導音路とを有し、前記第１発音体と前記第２発音体とは、前記第１のスピーカと前記第２のスピーカとに挟まれた前記空間の一部からなる第３の気室を共有しており、前記第１の導音路は、前記第１の壁の内部に形成された単一の水平路と、前記フレームの第１の側壁の内部に形成された複数の垂直路の一部である複数の第１の垂直路とを、前記第１の壁と前記第１の側壁との境界部分において接続した構成を有し、前記第２の導音路は、前記第２の壁の内部に形成された単一の水平路と、前記第１の側壁の内部に形成された複数の垂直路のうち前記第１の垂直路とは異なる複数の第２の垂直路とを、前記第２の壁と前記第１の側壁との境界部分において接続した構成を有しており、全ての前記第１の放音孔が前記表示領域の第１の辺を二分した一方の領域に配置されるとともに、全ての前記第２の放音孔が前記第１の辺の他方の領域に配置されていることを特徴とする構成であってもよい。
【００１０】
本発明の電気光学装置では、スピーカが、平面視したときに表示領域と重なり合うように配置されているので、平面視したときに表示領域とスピーカとが重なり合わないように配置した場合と比較して、発音体の配置に必要な周辺領域の面積を狭くすることができる。
しかも、本発明の電気光学装置では、各放音孔と各放音孔に連通する導音路とが複数設けられているので、放音孔の開口面積を確保しつつ、個々の放音孔の大きさを小さくすることができる。また、発音体が、周辺領域に配置された複数の放音孔と、複数の放音孔のそれぞれと気室とを連通する複数に分岐された導音路とを備えるので、各放音孔と各放音孔に連通する導音路の分岐された部分とを一つの組としてみなすことができ、一つの組を周辺領域の面積が狭くなるように、適切に配置することができる。したがって、導音路の配置によって、各放音孔の配置が決定されることはなく、周辺領域の面積が狭くなるように、各放音孔を適切に配置できる。よって、１つの放音孔および導音路によって所定の開口面積を確保する場合と比較して、放音孔および導音路を配置するために必要な周辺領域の面積を狭くできる。
【００１１】
また、上記の電気光学装置では、前記複数の放音孔が、前記表示領域の外縁に沿って１列に並べられているものとすることができる。
このような電気光学装置とすることで、放音孔および導音路を配置するために必要な周辺領域の面積をより一層効果的に狭くできる。
【００１２】
また、上記の電気光学装置では、前記表示領域が矩形であり、前記複数の放音孔が全て前記矩形の一辺に沿って並べられているものとすることができる。
このような電気光学装置では、複数の放音孔が全て前記矩形の一辺に沿って並べられているので、複数の放音孔が矩形の二辺以上の辺に沿って並べられている場合と比較して、放音孔および導音路を配置するために必要な周辺領域の面積を狭くできる。
【００１３】
また、上記の電気光学装置では、前記発音体が複数設けられているものとすることができる。
このような電気光学装置では、同時に複数の音を発生させることができる音質の優れた発音体を備えたものとなる。
【００１４】
また、上記の電気光学装置では、前記複数の発音体を構成する複数のスピーカは、平面視したときに互いに重なり合わないように並べて配置されていることを特徴とするものとすることができる。
このような電気光学装置は、複数のスピーカが平面視したときに互いに重なり合うように配置されているものと比較して、厚みの薄いものとなる。
【００１５】
また、上記の電気光学装置では、前記複数の発音体を構成する複数のスピーカは、平面視したときに少なくとも一部が互いに重なり合うように配置されているものとすることができる。
このような電気光学装置は、複数のスピーカが平面視したときに互いに重なり合わないように配置されているものと比較して、より一層小型なものとなる。
【００１６】
また、上記の電気光学装置では、前記表示領域が矩形であり、前記複数の発音体が第１グループと第２グループとに分けられ、前記第１グループを構成する発音体の前記複数の放音孔が、全て前記矩形の一辺に沿って並べられ、前記第２グループを構成する発音体の前記複数の放音孔が、全て前記矩形の一辺に対向する辺に沿って並べられているものとすることができる。
このような電気光学装置では、同時に複数の音を発生させることができる発音体を備えたものにおいて、第１グループの放音孔と第２グループの放音孔との間の距離を十分に確保することができるので、ステレオ音響の効果が高く、音質の優れた発音体を備えたものとなる。しかも、複数の放音孔が、矩形の対向する二辺に配置されたものとなるので、複数の放音孔が矩形の三辺以上の辺に沿って並べられている場合と比較して、放音孔および導音路を配置するために必要な周辺領域の面積を効果的に狭くできる。
【００１７】
また、上記の電気光学装置では、前記放音孔の寸法が、前記表示領域の外縁に沿う方向よりも、前記表示領域の外縁に沿う方向と直交する方向の方が短いものとすることができる。
このような電気光学装置では、放音孔の面積が同じである場合、放音孔の寸法が、前記表示領域の外縁に沿う方向よりも、前記表示領域の外縁に沿う方向と直交する方向の方が長いものや、同じものと比較して、放音孔を配置するために必要な周辺領域の面積を狭くできる。
【００１８】
上記の目的を達成するために、本発明の電子機器は、上記のいずれかに記載の電気光学装置を備えたことを特徴とする。
このような電子機器とすることで、小型の電子機器を実現できる。
【発明を実施するための最良の形態】
【００１９】
（電気光学装置の第１実施形態）
以下、図面を参照して本発明の実施形態を説明する。なお、以下の説明に用いた各図においては、各層や各部材を図面上で認識可能な程度の大きさとするため、各層や各部材毎に縮尺を異ならせてある。
図１は、本発明の電気光学装置の一例を説明するための図であり、図１（ａ）は平面構造を説明するための図であり、図１（ｂ）は図１（ａ）のＡ−Ａ’線断面図であり、図１（ｃ）は図１（ａ）のＢ−Ｂ’線断面図であり、図１（ｄ）は電気光学装置の一部を拡大して示した拡大図である。
【００２０】
図１に示す電気光学装置１Ａは、表示領域６ａを備えた液晶表示装置（表示部）２と、第１発音体（第１グループ）２１と第２発音体（第２グループ）２２とからなる発音体と、フレーム４と、押え枠５とを備えている。第１発音体２１および第２発音体２２はそれぞれ、図１（ｂ）に示すように、スピーカ３ａ、３ｂと、第１気室（気室）８ａ、８ｂと、放音孔１０ａ、１０ｂと、導音路９ａ、９ｂとを備えている。
【００２１】
なお、本実施形態においては、第１発音体２１と第２発音体２２の２つの発音体を設けたものを例に挙げて説明するが、発音体の数は、１つでもよいし、３つ以上でもよく、特に限定されない。また、本実施形態においては、第１グループおよび第２グループが、それぞれ１つの発音体からなるものを例に挙げて説明するが、第１グループおよび第２グループの発音体の数は、２つ以上でもよく、特に限定されない。
【００２２】
液晶表示装置２の表示領域６ａは、図１（ａ）に示すように、長方形であり、第１発音体２１および第２発音体２２のスピーカ３ａ、３ｂは、平面視したときに互いに重なり合わないように表示領域６ａの長手方向に並べて配置されている。また、スピーカ３ａ、３ｂは、図１（ａ）に示すように、平面視したときに表示領域６ａと重なり合っている。
【００２３】
フレーム４は、例えば、樹脂などによって形成され、外観的には概ね四角柱状又は四角板状に形成されている。フレーム４の一方の面（図１（ｂ）においては下面）には、平面視円形状の２つの凹部からなる第１気室８ａ、８ｂが設けられている。第１気室８ａ、８ｂは、スピーカ３ａ、３ｂに面接触する空間であり、各スピーカ３ａ、３ｂに対応して個別に設けられている。また、第１気室８ａ、８ｂは、フレーム４の内部に、円柱状又は円板状の空間として形成されており、スピーカ３ａ、３ｂに対して表示領域６ａ側に形成されている。
【００２４】
スピーカ３ａ、３ｂは、音を発生するものであり、図１（ｂ）に示すように、アルミニウム（Ａｌ）などからなるリング形状の支持フレーム１４と、支持フレーム１４と一体化された円板状の振動子１２と、振動子１２の両面に固着された円板状の圧電素子１３とを有する。スピーカ３ａ、３ｂは、図１（ｂ）に示すように、支持フレーム１４がフレーム４の下面に接着その他の固着手法によって固着されることによってフレーム４に支持されている。
【００２５】
また、第１発音体２１および第２発音体２２を構成する複数の放音孔１０ａ、１０ｂは、図１（ａ）に示すように、表示領域６ａの平面視外側に位置する周辺領域４ａに配置されている。より詳細には、第１発音体２１の複数の放音孔１０ａは、全て、表示領域６ａの外縁６ｄである矩形の短辺６ｂに沿って１列に並べられている。また、第２発音体２２の複数の放音孔１０ｂは、全て、矩形の短辺６ｂに対向する短辺６ｃに沿って並べられている。
【００２６】
また、図１（ｄ）は、複数の放音孔のうちの１つの放音孔とその周辺のみを示した拡大図である。図１（ｄ）に示すように、放音孔１０ａの寸法は、表示領域６ａの外縁６ｄに沿う方向の幅ｄ２よりも、表示領域６ａの外縁６ｄに沿う方向と直交する方向の幅ｄ３の方が短くされている。放音孔１０ａを図１（ｄ）に示す形状とすることで、周辺領域４ａの面積を効果的に狭くできる。
また、周辺領域４ａの幅ｄ１の中心と、外縁６ｄに沿う方向と直交する方向の放音孔１０ａの幅ｄ３の中心とがほぼ一致するように配置されている。周辺領域４ａの幅ｄ１の中心と、放音孔１０ａの幅ｄ３の中心とをほぼ一致するように配置することで、周辺領域４ａの面積を狭くした場合に放音孔１０ａの周辺部の強度が確保しやすいものとなる。
【００２７】
また、フレーム４の他方の面（図１（ｂ）においては上面）の中央部には、平面視長方形状の凹部４ｂが設けられている。フレーム４の凹部４ｂの平面視外側の領域は、周辺領域４ａである。図１（ｃ）に示すように、周辺領域４ａを構成するフレーム４には、複数に分岐された導音路９ａ、９ｂが形成されている。導音路９ａ、９ｂは、図１（ｂ）に示すように、複数の放音孔１０ａ、１０ｂのそれぞれと第１気室８ａ、８ｂとを連通して設けられている。導音路９ａ、９ｂは、図１（ｂ）（ｃ）に示すように、放音孔１０ａ、１０ｂの数と同数に分割された垂直路８１ａ、８１ｂと個々の第１気室８ａ、８ｂに対応する水平路８２ａ、８２ｂとからなり、垂直路８１ａ、８１ｂと水平路８２ａ、８２ｂとの接続部を分岐点として放音孔１０ａ、１０ｂの数と同数に分岐されている。
【００２８】
垂直路８１ａ、８１ｂは、表示領域６ａの延在方向に直交する方向に、放音孔１０ａ、１０ｂの数と同数設けられ、平面視したときの形状が放音孔１０ａ、１０ｂと同じとされたものである。また、垂直路８１ａ、８１ｂは、図１（ｂ）（ｃ）に示すように、表示領域６ａの短辺６ｂ、６ｃに沿う周辺領域４ａに形成され、複数の放音孔１０ａ、１０ｂのそれぞれと水平路８２ａ、８２ｂとを連通して設けられている。
また、水平路８２ａ、８２ｂは、表示領域６ａの延在方向と平行な方向に設けられたものである。導音路９ａを構成する水平路８２ａは、各放音孔１０ａに連通する全ての垂直路８１ａと第１気室８ａとをつなぐものであり、導音路９ｂを構成する水平路８２ｂは、各放音孔１０ｂに連通する全ての垂直路８１ｂと第１気室８ｂとをつなぐものである。
【００２９】
なお、本実施形態においては、各放音孔１０ａ、１０ｂに連通する全ての垂直路８１ａ、８１ｂと第１気室８ａ、８ｂとをつなぐ水平路８２ａ、８２ｂを備える導音路９ａ、９ｂを有する発音体を例に挙げて説明したが、導音路９ａ、９ｂの分岐点は、垂直路８１ａ、８１ｂと水平路８２ａ、８２ｂとの接続部でなくてもよく、垂直路中や水平路中としてもよい。したがって、導音路の水平路は、放音孔の数と同数に分割されて、各垂直路に個別に連通されているものであってもよい。また、本実施形態においては、全長に渡って放音孔１０ａ、１０ｂの数と同数に分割されている垂直路８１ａ、８１ｂを備える導音路９ａ、９ｂを例に挙げて説明したが、導音路９ａ、９ｂは、垂直路の放音孔側の少なくとも一部が放音孔の数と同数に分割されているものであればよい。
ここで、導音路９ａ、９ｂにおいて、放音孔１０ａ、１０ｂの数と同数に分割されている部分が長いほど、導音路９ａ、９ｂの周辺部におけるフレーム４を構成する材料の量が多くなり、強度に優れたものとなる。また、導音路９ａ、９ｂにおいて、分割されていない部分が長いほど、導音路９ａ、９ｂの全長に対する断面積の大きい導音路の部分の割合が長くなり、良好な音質が得られる。
【００３０】
押え枠５は、アルミニウム、ステンレスなどの金属からなり、平面視長方形の角筒状に形成されている。図１（ｂ）（ｃ）に示すように、押え枠５の内面には、緩衝材２３を介してフレーム４が載置されている。緩衝材２３は、樹脂、ゴムなどの弾性材料によって形成されている。そして、押え枠５とスピーカ３ａ、３ｂとの間の空間は第２気室８ｃ、８ｄとして機能する。第２気室８ｃ、８ｄを構成する押え枠５の一部には、通気孔８ｅ、８ｆが設けられている。
【００３１】
図１に示す第１発音体２１および第２発音体２２では、導電線（図示略）などを介して音声信号が圧電素子１３へ伝送されると、圧電素子１３が振動子１２を振動させる。そして、振動子１２の振動と第１気室８ａ、８ｂおよび第２気室８ｃ、８ｄとの相互作用により音声信号に対応した音が発生し、水平路８２ａ、８２ｂ、垂直路８１ａ、８１ｂを通して放音孔１０ａ、１０ｂから外部へと発せられる。
【００３２】
また、フレーム４の凹部４ｂの中には、図１（ｂ）に示すように、電気光学パネルとしての液晶パネル６と、液晶パネル６に付設された照明装置７とからなる液晶表示装置２が収納されている。液晶表示装置２は、液晶パネル６の表示領域６ａ内に文字、数字、図形といった種々の情報を画像として表示するものである。
【００３３】
照明装置７は、液晶パネル６のフレーム４側（下側）に配置されていて、バックライトとして機能する。なお、照明装置７は、液晶パネル６の観察側に配設してフロントライトとして機能させても良い。また、照明装置７は、例えば、光源としての複数のＬＥＤ（Light Emitting Diode）と、導光体とによって構成できる。このような照明装置７では、ＬＥＤから放射された光を導光体によって面状の光に変換して液晶パネル６へ供給できる。なお、光源は、ＬＥＤ以外の点状光源や、冷陰極管等といった線状光源によって構成することもできる。
【００３４】
液晶パネル６としては、例えば、それぞれが電極を備えた一対の透光性の基板間に液晶を封入することによって形成されたものを用いることができる。なお、一対の透光性基板のそれぞれの外側表面には、偏光軸を適宜にずらせた状態の偏光板が設けられる。そして、照明装置７から液晶パネル６へ面状の光が供給されるとき、一対の電極に印加する電圧を画素ごとに制御することにより、液晶を通過する光を画素ごとに変調し、この変調光を偏光板に通すことにより、その偏光板の光出射側に文字、数字、図形等といった像を表示する。
【００３５】
液晶パネル６は、任意の表示モードによって構成できる。例えば、液晶駆動方式でいえば、単純マトリクス方式およびアクティブマトリクス方式のいずれであっても良い。また、液晶モードの種別でいえば、ＴＮ（Twisted Nematic)、ＳＴＮ（Super Twisted Nematic）等を用いることができる。また、採光方式でいえば、透過型、反射型、半透過反射型のいずれであっても良い。なお、本実施形態では、照明装置７を用いるので、採光方式としては透過型または半透過反射型ということになる。
【００３６】
ここで、図７を用いて、本発明の効果を説明する。図７は、１つの放音孔を有する２つの発音体を備える電気光学装置の一例を説明するための図であり、図７（ａ）は平面構造を説明するための図であり、図７（ｂ）は図７（ａ）のＡ−Ａ’線断面図であり、図７（ｃ）は図７（ａ）のＢ−Ｂ’線断面図である。なお、図７に示す電気光学装置において、図１に示す電気光学装置と同一の部分には同一の符号を付し、その説明を省略する。
【００３７】
図７に示す電気光学装置が図１に示す電気光学装置１Ａと異なる点は、放音孔と、導音路の垂直路のみである。
図７に示す電気光学装置では、第１発音体２１および第２発音体２２を構成する放音孔１１ａ、１１ｂは、図７（ａ）に示すように、各々１個であり、表示領域６ａの平面視外側に位置する周辺領域４ａに配置されている。より詳細には、第１発音体２１の放音孔１１ａは、表示領域６ａの外縁６ｄである矩形の短辺６ｂの中央付近に配置され、第２発音体２２の放音孔１１ｂは、矩形の短辺６ｂに対向する短辺６ｃの中央付近に配置されている。
また、導音路９ａ、９ｂの垂直路８３ａ、８３ｂは、図７（ｂ）（ｃ）に示すように、表示領域６ａの延在方向に直交する方向に、１本設けられ、平面視したときの形状が放音孔１１ａ、１１ｂと同じとされたものであり、１つの放音孔１１ａ、１１ｂと水平路８２ａ、８２ｂとを連通して設けられている。
【００３８】
図７に示す電気光学装置は、１つの放音孔１１ａ、１１ｂおよび１つの垂直路８３ａ、８３ｂを備える導音路９ａ、９ｂを有する発音体２１、２２を備えるものであるので、１つの放音孔１１ａ、１１ｂおよび１つの垂直路８３ａ、８３ｂによって所定の開口面積を確保しなければならない。したがって、放音孔１１ａ、１１ｂおよび垂直路８３ａ、８３ｂを小さくすることはできず、放音孔１１ａ、１１ｂおよび垂直路８３ａ、８３ｂを配置するために必要な周辺領域４ａの面積を十分に狭くすることはできない。
また、図７に示す電気光学装置では、放音孔１１ａ、１１ｂを複数の小さいものとしたとしても、垂直路８３ａ、８３ｂの配置によって、放音孔の配置が決定されるので、周辺領域４ａの面積が狭くなるように、各放音孔を適切に配置することはできない。
さらに、図７に示す電気光学装置では、垂直路８３ａ、８３ｂが、フレーム４中において１つの太くて大きな空洞となるので、フレーム４を構成する材料の量が、垂直路８３ａ、８３ｂの周辺部のみ著しく少なくなり、フレーム４の強度ムラが大きくなる。このため、垂直路８３ａ、８３ｂの周辺部におけるフレーム４の肉厚を十分に確保しなければならなかった。
ここで、図７に示す電気光学装置において、放音孔１１ａ、１１ｂの形状を、矩形の短辺６ｂ、６ｃ方向に長くし、幅を狭くすることで、放音孔１１ａ、１１ｂを配置するために必要な周辺領域４ａの面積を狭くすることも考えられるが、この場合においても、垂直路８３ａ、８３ｂが、フレーム４中において矩形の短辺６ｂ、６ｃ方向に長い１つの大きな空洞となるので、フレーム４の強度が不十分となる。
【００３９】
これに対し、図１に示す電気光学装置１Ａでは、各放音孔１０ａ、１０ｂと、各放音孔１０ａ、１０ｂに連通する導音路９ａ、９ｂの垂直路８１ａ、８１ｂとが複数設けられているので、放音孔１０ａ、１０ｂの開口面積を十分に確保しつつ、個々の放音孔１０ａ、１０ｂの大きさを小さくすることができる。
また、第１発音体２１および第２発音体２２が、周辺領域４ａに配置された複数の放音孔１０ａ、１０ｂと、複数の放音孔１０ａ、１０ｂのそれぞれと第１気室８ａ、８ｂとを連通する複数の垂直路８１ａ、８１ｂを備える導音路９ａ、９ｂとを有するので、各放音孔１０ａ、１０ｂと各放音孔１０ａ、１０ｂに連通する垂直路８１ａ、８１ｂとを一つの組としてみなすことができ、一つの組を周辺領域４ａの面積が狭くなるように、適切に配置することができる。したがって、導音路９ａ、９ｂの配置によって、各放音孔１０ａ、１０ｂの配置が決定されることはなく、周辺領域４ａの面積が狭くなるように、各放音孔１０ａ、１０ｂおよび垂直路８１ａ、８１ｂを適切に配置でき、放音孔１０ａ、１０ｂおよび導音路９ａ、９ｂを配置するために必要な周辺領域４ａの面積を非常に狭くできる。
【００４０】
また、図１に示す電気光学装置１Ａでは、垂直路８１ａ、８１ｂが、フレーム４中において、互いに仕切られた細くて小さい複数の空洞となり、仕切りを構成するフレーム４を構成する材料によって、垂直路の周辺部が補強される。このため、図１に示す電気光学装置１Ａでは、図７に示す電気光学装置と比較して、垂直路の周辺部におけるフレーム４を構成する材料の量が多くなり、フレーム４の強度ムラが小さくなる。よって、垂直路８１ａ、８１ｂの周辺部におけるフレーム４の肉厚を十分に薄くできる。
このように、図１に示す電気光学装置１Ａでは、図７に示す電気光学装置と比較して、放音孔１０ａ、１０ｂおよび垂直路８１ａ、８１ｂを配置するために必要な周辺領域の面積を狭くできる。
【００４１】
また、本実施形態の電気光学装置１Ａでは、スピーカ３ａ、３ｂが、平面視したときに表示領域６ａと重なり合っているので、スピーカ３ａ、３ｂを周辺領域４ａに配置した場合と比較して、電気光学装置１Ａを小型にできる。
さらに、本実施形態の電気光学装置１Ａでは、放音孔１０ａ、１０ｂが表示領域６ａと同じ面に設けられているので、表示を見る観察者にとって音が聞き易いものとなる。
【００４２】
また、本実施形態の電気光学装置１Ａでは、スピーカ３ａ、３ｂが、平面視したときに互いに重なり合わないように並べて配置されているので、スピーカ３ａ、３ｂを平面視したときに互いに重なり合うように配置した場合と比較して、厚みの薄い電気光学装置となる。
さらに、本実施形態の電気光学装置１Ａでは、スピーカ３ａ、３ｂは、平面視したときに互いに重なり合わないように並べて配置されているので、導音路９ａ、９ｂの長さを、第１発音体２１および第２発音体２２において同一とすることができ、放音孔１０ａ、１０ｂから発せられる音の位相を同じとすることができ、音のバランスがよく、観察者にとって音が聞き易い優れたものとなる。
【００４３】
また、本実施形態の電気光学装置１Ａでは、支持フレーム１４がフレーム４の下面に固着されることによって、スピーカ３ａ、３ｂがフレーム４に支持されているものを例に挙げて説明したが、本発明は上述した実施形態に限定されるものではなく、例えば図２に示す電気光学装置２Ａのように、支持フレーム１４が緩衝材２３を介して押え枠５の内面に固着されることによって、スピーカ３ａ、３ｂが押え枠５に支持されているものとしてもよい。なお、図２は、本発明の電気光学装置の他の例を説明するための図であり、図１（ａ）に示す電気光学装置の平面構造におけるＡ−Ａ’線断面図に相当する図である。
【００４４】
（電気光学装置の第２実施形態）
図３は、本発明の電気光学装置の他の例を説明するための図であり、図３（ａ）は平面構造を説明するための図であり、図３（ｂ）は図３（ａ）のＡ−Ａ’線断面図であり、図３（ｃ）は図３（ａ）のＢ−Ｂ’線断面図である。なお、図３に示す電気光学装置において、図１に示す電気光学装置と同一の部分には同一の符号を付し、その説明を省略する。
【００４５】
図３（ａ）に示すように、本実施形態の電気光学装置１Ｂでは、液晶表示装置２の表示領域６ａは、図１に示す電気光学装置１Ａと比較して、長辺と短辺との長さの差の小さい長方形であり、図３（ａ）（ｂ）に示すように、スピーカ３ａ、３ｂは、平面視したときに互いに重なり合うように配置されている。また、スピーカ３ａ、３ｂは、図３（ａ）（ｂ）に示すように、図１に示す電気光学装置１Ａと同様、平面視したときに表示領域６ａと重なり合っている。
【００４６】
また、図１に示す電気光学装置１Ａでは、スピーカ３ａ、３ｂがフレーム４に支持されていたが、図３に示す電気光学装置１Ｂでは、スピーカ３ａが押え枠５１に支持されている。そして、スピーカ３ａに対して押え枠５１側（図３においては下側）に形成された円柱状又は円板状の空間であって、スピーカ３ａと押え枠５１の内壁との間の空間が、第１気室８ａとして機能するようになっている。また、スピーカ３ａとスピーカ３ｂとの間の空間は、第１発音体２１および第２発音体２２の共有する第２気室８ｇとして機能する。さらに、図３に示す電気光学装置１Ｂでは、側面８ｉは、フレーム４１と押え枠５１とが接合されて形成されており、側面８ｉの一部には、図３（ｂ）に示すように、通気孔８ｈが設けられている。
【００４７】
また、本実施形態の電気光学装置１Ｂでは、図３（ｂ）に示すように、フレーム４１と押え枠５１とに、第１発音体２１の導音路９１が形成されている。導音路９１は、図３（ｂ）（ｃ）に示すように、複数の放音孔１０ａのそれぞれと第１気室８ａとを連通して設けられている。導音路９１は、図３（ｂ）（ｃ）に示すように、垂直路８６と水平路８５とからなる。
【００４８】
垂直路８６は、図１に示す電気光学装置１Ａと同様、表示領域６ａの延在方向に直交する方向に、放音孔１０ａの数と同数設けられ、平面視したときの形状が放音孔１０ａと同じとされたものであり、複数の放音孔１０ａのそれぞれと水平路８５とを連通して設けられている。
また、水平路８５は、図１に示す電気光学装置１Ａと同様、各放音孔１０ａに連通する全ての垂直路８６と第１気室８ａとをつなぐものである。
【００４９】
なお、本実施形態の電気光学装置１Ｂでは、スピーカ３ａ、３ｂは、平面視したときに互いに重なり合うように配置されているので、導音路９１、９ｂの長さを、第１発音体２１および第２発音体２２において同一とすることは困難である。したがって、本実施形態の電気光学装置１Ｂでは、導音路９１、９ｂの長さの差に起因する音質の差を補償し、放音孔１０ａ、１０ｂから発せられる音の位相を同じとするために、導音路９１と導音路９ｂとの断面積の大きさを異ならせることが望ましい。具体的には、長い方の導音路９１の断面積を大きくする方法や、短い方の導音路９ｂの断面積を小さくする方法などによって、導音路９１、９ｂの長さの差に起因する音質の差を適切に補償でき、音のバランスがよく、観察者にとって音が聞き易い優れたものとすることができる。
【００５０】
ここで、図８を用いて、本発明の効果を説明する。図８は、１つの放音孔を有する２つの発音体を備える電気光学装置の一例を説明するための図であり、図８（ａ）は平面構造を説明するための図であり、図８（ｂ）は図８（ａ）のＡ−Ａ’線断面図であり、図８（ｃ）は図８（ａ）のＢ−Ｂ’線断面図である。なお、図８に示す電気光学装置において、図３に示す電気光学装置と同一の部分には同一の符号を付し、その説明を省略する。
【００５１】
図８に示す電気光学装置が図３に示す電気光学装置１Ｂと異なる点は、放音孔と、導音路の垂直路のみである。
図８に示す電気光学装置では、第１発音体２１および第２発音体２２を構成する放音孔１１ａ、１１ｂは、図８（ａ）に示すように、各々１個であり、表示領域６ａの平面視外側に位置する周辺領域４ａに配置されている。より詳細には、第１発音体２１の放音孔１１ａは、表示領域６ａの外縁６ｄである矩形の一辺６ｂの中央付近に配置され、第２発音体２２の放音孔１１ｂは、矩形の一辺６ｂに対向する辺６ｃの中央付近に配置されている。
また、導音路９１、９ｂの垂直路８７ａ、８７ｂは、図８（ｂ）（ｃ）に示すように、表示領域６ａの延在方向に直交する方向に、１本設けられ、平面視したときの形状が放音孔１１ａ、１１ｂと同じとされたものであり、１つの放音孔１１ａ、１１ｂと水平路８５、８２ｂとを連通して設けられている。
【００５２】
図８に示す電気光学装置は、図７に示す電気光学装置と同様に、１つの放音孔１１ａ、１１ｂおよび１つの垂直路８７ａ、８７ｂを備える導音路９１、９ｂを有する発音体２１、２２を備えるものであるので、放音孔１１ａ、１１ｂおよび垂直路８７ａ、８７ｂを配置するために必要な周辺領域４ａの面積を十分に狭くすることはできない。
また、図８に示す電気光学装置では、図７に示す電気光学装置と同様に、放音孔１１ａ、１１ｂを複数の小さいものとしたとしても、垂直路８７ａ、８７ｂの配置によって、放音孔の配置が決定されるので、周辺領域４ａの面積が狭くなるように、各放音孔を適切に配置することはできない。
さらに、図８に示す電気光学装置では、図７に示す電気光学装置と同様に、垂直路８７ａ、８７ｂが、フレーム４１中および押え枠５１中において１つの太くて大きな空洞となるので、フレーム４１および押え枠５１を構成する材料の量が、垂直路８７ａ、８７ｂの周辺部のみ著しく少なくなり、フレーム４１および押え枠５１の強度ムラが大きくなる。このため、垂直路８７ａ、８７ｂの周辺部におけるフレーム４１および押え枠５１の肉厚を十分に確保しなければならなかった。
【００５３】
これに対し、図３に示す電気光学装置１Ｂにおいては、図１に示す電気光学装置１Ａと同様に、各放音孔１０ａ、１０ｂと、各放音孔１０ａ、１０ｂに連通する導音路９１、９ｂの垂直路８６、８１ｂとが複数設けられているので、放音孔１０ａ、１０ｂおよび導音路９１、９ｂを配置するために必要な周辺領域４ａの面積を狭くできる。
【００５４】
また、図３に示す電気光学装置１Ｂにおいては、図１に示す電気光学装置１Ａと比較して液晶表示装置２の表示領域６ａが、長辺と短辺との長さの差の小さい長方形であって、スピーカ３ａ、３ｂが、平面視したときに互いに重なり合うように配置されているとともに、平面視したときに表示領域６ａと重なり合っているので、図１に示す電気光学装置１Ａと比較して、電気光学装置の大きさをより一層小型にできる。
さらに、図３に示す電気光学装置１Ｂでは、スピーカ３ａとスピーカ３ｂとの間の空間が、第１発音体２１および第２発音体２２の共有する第２気室８ｇとして機能するので、スピーカ３ａとスピーカ３ｂとの間に、第１発音体２１および第２発音体２２に個別の第２気室を設ける場合と比較して、電気光学装置の厚みを薄くできる。
【００５５】
また、図１に示す電気光学装置１Ａでは、表示領域の６ａの長辺の半分の長さに応じて２つのスピーカ３ａ、３ｂの大きさを決定しなければならないが、図３に示す電気光学装置１Ｂにおいては、表示領域の６ａの短辺の長さに応じて２つのスピーカ３ａ、３ｂの大きさを決定することができる。したがって、図３に示す電気光学装置１Ｂにおいては、図１に示す電気光学装置１Ａと比較して、表示領域の６ａに対して相対的に大きいスピーカ３ａ、３ｂを備えることが可能となり、ステレオ音響の効果が高く、音質の優れた発音体を備えたものとすることができる。
なお、図３に示す電気光学装置１Ｂにおいては、スピーカ３ａ、３ｂは、平面視したときに完全に重なり合うように配置されていたが、平面視したときに少なくとも一部が互いに重なり合うように配置されているものとしてもよい。この場合においても、図１に示す電気光学装置１Ａと比較して、電気光学装置の大きさをより一層小型にできるとともに、表示領域の６ａに対して相対的に大きいスピーカ３ａ、３ｂを備えることが可能となる。
【００５６】
（電気光学装置の第３実施形態）
図４は、本発明の電気光学装置の他の例を説明するための図であり、図４（ａ）は平面構造を説明するための図であり、図４（ｂ）は図４（ａ）のＡ−Ａ’線断面図であり、図４（ｃ）は図４（ａ）のＢ−Ｂ’線断面図であり、図４（ｄ）は図４（ａ）のＣ−Ｃ’線断面図である。なお、図４に示す電気光学装置において、図２に示す電気光学装置２Ａと同一の部分には同一の符号を付し、その説明を省略する。
【００５７】
図４（ａ）に示すように、本実施形態の電気光学装置１Ｃでは、図２に示す電気光学装置２Ａと異なり、第１発音体２１および第２発音体２２を構成する複数の放音孔１０ａ、１０ｂが全て、表示領域６ａの外縁６ｄである矩形の一方の長辺６ｅに沿って、周辺領域４ａに並べられている。したがって、図４（ｃ）（ｄ）に示すように、垂直路８１ａ、８１ｂも、表示領域６ａの一方の長辺６ｅに沿う周辺領域４ａに形成されている。
【００５８】
図４に示す電気光学装置１Ｃにおいても、図１に示す電気光学装置１Ａと同様に、各放音孔１０ａ、１０ｂと、各放音孔１０ａ、１０ｂに連通する導音路９ａ、９ｂの垂直路８１ａ、８１ｂとが複数設けられているので、放音孔１０ａ、１０ｂおよび導音路９ａ、９ｂを配置するために必要な周辺領域４ａの面積を狭くできる。
また、図４に示す電気光学装置１Ｃにおいては、表示領域６ａが矩形であり、複数の放音孔１０ａ、１０ｂが全て矩形の一辺である長辺６ｅに沿って並べられているので、長辺６ｅを除く三辺に沿う周辺領域４ａに放音孔１０ａ、１０ｂおよび導音路９ａ、９ｂを配置するための面積を確保する必要がなく、図１に示す電気光学装置１Ａのように、複数の放音孔１０ａ、１０ｂが矩形の短辺６ｂ、６ｃに沿って並べられている場合と比較して、放音孔１０ａ、１０ｂおよび導音路９ａ、９ｂを配置するために必要な周辺領域４ａの面積を狭くできる。
【００５９】
また、図４に示す電気光学装置１Ｃでは、支持フレーム１４が緩衝材２３を介して押え枠５の内面に固着されることによって、スピーカ３ａ、３ｂが押え枠５に支持されているものを例に挙げて説明したが、本発明は上述した実施形態に限定されるものではなく、例えば、図５に示す電気光学装置２Ｃのように、支持フレーム１４がフレーム４の下面に固着されることによって、スピーカ３ａ、３ｂがフレーム４に支持されているものとしてもよい。なお、図５は、本発明の電気光学装置の他の例を説明するための図であり、図５（ａ）は図４（ａ）に示す電気光学装置の平面構造におけるＡ−Ａ’線断面図に相当する図であり、図４（ｂ）は図４（ａ）のＢ−Ｂ’線断面図である。
【００６０】
（電気光学装置の第４実施形態）
図６は、本発明の電気光学装置の他の例を説明するための図であり、図６（ａ）は平面構造を説明するための図であり、図６（ｂ）は図６（ａ）のＡ−Ａ’線断面図であり、図６（ｃ）は図６（ａ）のＢ−Ｂ’線断面図であり、図６（ｄ）は図６（ａ）のＣ−Ｃ’線断面図である。なお、図６に示す電気光学装置において、図３に示す電気光学装置と同一の部分には同一の符号を付し、その説明を省略する。
【００６１】
図６（ａ）に示すように、本実施形態の電気光学装置１Ｄでは、図３に示す電気光学装置と異なり、第１発音体２１および第２発音体２２を構成する複数の放音孔１０ａ、１０ｂが全て、表示領域６ａの外縁６ｄである矩形の一方の長辺６ｅに沿って、周辺領域４ａに並べられている。したがって、図６（ｂ）（ｄ）に示すように、垂直路８６、８１ｂも、表示領域６ａの一方の長辺６ｅに沿う周辺領域４ａに形成されている。
【００６２】
図６に示す電気光学装置１Ｄにおいても、図１に示す電気光学装置１Ａと同様に、各放音孔１０ａ、１０ｂと、各放音孔１０ａ、１０ｂに連通する導音路９１、９ｂの垂直路８６、８１ｂとが複数設けられているので、放音孔１０ａ、１０ｂおよび導音路９１、９ｂを配置するために必要な周辺領域４ａの面積を狭くできる。
また、図６に示す電気光学装置１Ｄにおいては、表示領域６ａが矩形であり、複数の放音孔１０ａ、１０ｂが全て矩形の一辺である長辺６ｅに沿って並べられているので、図１に示す電気光学装置１Ａのように、複数の放音孔１０ａ、１０ｂが矩形の短辺６ｂ、６ｃに沿って並べられている場合と比較して、放音孔１０ａ、１０ｂおよび導音路９１、９ｂを配置するために必要な周辺領域４ａの面積を狭くできる。
また、図６に示す電気光学装置１Ｄにおいては、図１に示す電気光学装置１Ａと比較して液晶表示装置２の表示領域６ａが、長辺と短辺との長さの差の小さい長方形であって、スピーカ３ａ、３ｂが、平面視したときに互いに重なり合うように配置されているとともに、平面視したときに表示領域６ａと重なり合っているので、図１に示す電気光学装置１Ａと比較して、電気光学装置の大きさをより一層小型にできるとともに、表示領域の６ａに対して相対的に大きいスピーカ３ａ、３ｂを備えることが可能となる。
【００６３】
（電気光学装置に関するその他の実施形態）
以上、好ましい実施形態を挙げて本発明を説明したが、本発明はその実施形態に限定されるものでなく、請求の範囲に記載した発明の範囲内で種々に改変できる。
例えば、以上の説明では電気光学装置の表示部として液晶表示装置を用いたが、液晶表示装置に代えてその他の表示装置、例えばＥＬ表示装置、プラズマディスプレイ装置等を用いることができる。また、上述した実施形態においては、スピーカとして、振動板と圧電素子とを用いる発音体を例に挙げて説明したが、発音体はこのようなスピーカを備えたものに限られず、必要に応じて種々の構造のスピーカを備えた発音体を用いることができる。
【００６４】
（電子機器の第１実施形態）
図９は、本発明に係る電子機器の一例である携帯電話機を示す斜視図である。図９に示す携帯電話機８０は、本体部８１と、本体部８１に開閉可能に設けられた表示体部８２とを有する。本体部８１には操作ボタン８３が配列されている。また、表示体部８２の内部には、図１に示す電気光学装置１Ａが配置されている。
【００６５】
図９に示す携帯電話機８０は、周辺領域の面積を狭くできる電気光学装置１Ａを備えたものであるので、小型のものとなる。なお、図９に示す携帯電話機８０において、電気光学装置１Ａに代えて、図２〜図６に示す電気光学装置を配置してもよい。
【００６６】
（電子機器に関するその他の実施形態）
以上、好ましい実施形態を挙げて本発明を説明したが、本発明はその実施形態に限定されるものでなく、請求の範囲に記載した発明の範囲内で種々に改変できる。例えば、本発明に係る電子機器としては、以上に説明した携帯電話機の他にも、パーソナルコンピュータ、液晶テレビ、デジタルスチルカメラ、腕時計、ビューファインダ型又はモニタ直視型のビデオテープレコーダ、カーナビゲーション装置、ページヤ、電子手帳、電卓、ワードプロセッサ、ワークステーション、テレビ電話、ＰＯＳ端末、その他各種の機器が考えられる。
【図面の簡単な説明】
【００６７】
【図１】図１は、本発明の電気光学装置の一例を説明するための図である。
【図２】図２は、本発明の電気光学装置の他の例を説明するための図である。
【図３】図３は、本発明の電気光学装置の他の例を説明するための図である。
【図４】図４は、本発明の電気光学装置の他の例を説明するための図である。
【図５】図５は、本発明の電気光学装置の他の例を説明するための図である。
【図６】図６は、本発明の電気光学装置の他の例を説明するための図である。
【図７】図７は、１つの放音孔を有する２つの発音体を備える電気光学装置の一例を説明するための図である。
【図８】図８は、１つの放音孔を有する２つの発音体を備える電気光学装置の一例を説明するための図である。
【図９】図９は、本発明に係る電子機器の一例である携帯電話機を示す斜視図である。
【符号の説明】
【００６８】
１Ａ、１Ｂ、１Ｃ、１Ｄ、２Ａ、２Ｃ  電気光学装置、２  液晶表示装置（表示部）、３ａ、３ｂ  スピーカ、４、４１  フレーム、４ａ  周辺領域、４ｂ  凹部、５、５１  押え枠、６  液晶パネル、６ａ  表示領域、６ｂ、６ｃ  短辺、６ｄ  外縁、６ｅ  長辺、７  照明装置、８ａ、８ｂ  第１気室（気室）、８ｃ、８ｄ、８ｇ  第２気室、８ｅ、８ｆ、８ｈ  通気孔、８ｉ  側面、９ａ、９ｂ、９１  導音路、１０ａ、１０ｂ、１１ａ、１１ｂ  放音孔、１２  振動子、１３  圧電素子、１４  支持フレーム、２１  第１発音体（第１グループ）（発音体）、２２  第２発音体（第２グループ）（発音体）、２３  緩衝材、８０  携帯電話機、８１  本体部、８１ａ、８１ｂ、８３ａ、８３ｂ、８６、８７ａ、８７ｂ  垂直路、８２  表示体部、８２ａ、８２ｂ、８５  水平路、８３  操作ボタン。
【図１】
0004742930.tif 000002
【図２】
0004742930.tif 000003
【図３】
0004742930.tif 000004
【図４】
0004742930.tif 000005
【図５】
0004742930.tif 000006
【図６】
0004742930.tif 000007
【図７】
0004742930.tif 000008
【図８】
0004742930.tif 000009
【図９】
0004742930.tif 000010